(57)【要約】【課題】ウイング部におけるめくれなどの発生を抑える。【解決手段】吸収性物品であるナプキン１０は、互いに直交する縦方向Ａおよび横方向Ｂと、肌対向面およびその反対面であるショーツ対向面（着衣対向面）とを有し、体液吸収性の本体部１５と、前記本体部１５における前記横方向Ｂに互いに対向する両側部１６それぞれから前記横方向Ｂの外側へ延出する一対のウイング部２０とを含む。前記本体部１５および前記ウイング部２０の前記ショーツ対向面には、前記ショーツに対する止着域３１，３２がそれぞれ設けられている。本体部１５とウイング部２０との間の連結部１９は、前記縦方向Ａへ対向する一対の括れ部３４ａ，３４ｂを有する。ウイング部２０は、縦方向Ａにおける寸法が、他の部分４０の縦方向における寸法よりも大きい拡幅部３９を有する。ウイング部２０における横方向Ｂの寸法をＷ１としたとき、拡幅部３９は、寸法Ｗ１の半分（Ｗ１／２）よりも本体部１５に近くなるように配置してある。【選択図】図１
2016013199.tif 000002
【特許請求の範囲】
【請求項１】
互いに直交する縦方向および横方向と、肌対向面およびその反対面である着衣対向面とを有し、体液吸収性の本体部と、前記本体部における前記横方向に互いに対向する両側部それぞれから前記横方向の外側へ延出する一対のウイング部とを含み、前記本体部および前記ウイング部の前記着衣対向面には、前記着衣に対する止着域がそれぞれ設けられているパッド状の吸収性物品であって、
前記物品は、前記本体部と前記ウイング部との間の連結部に、前記縦方向に対向する一対の括れ部を有し、
前記ウイング部は、前記縦方向における寸法が、他の部分の前記縦方向における寸法よりも大きい拡幅部を有し、
前記ウイング部における前記横方向の寸法をＷ１としたとき、前記拡幅部は、前記寸法Ｗ１の半分よりも前記本体部に近くなるように配置してあることを特徴とする前記吸収性物品。
【請求項２】
前記括れ部は、前記縦方向に対向する内側縁と外側開口とを有し、前記内側縁から前記外側開口へ向かって次第に拡開している請求項１に記載の吸収性物品。
【請求項３】
前記ウイング部の前記止着域の前記縦方向における両端縁は、一方の前記括れ部の内端縁、および他方の前記括れ部の内端縁より前記縦方向の外側に延在することがない請求項１または２に記載の吸収性物品。
【請求項４】
前記ウイング部は、前記肌対向面側に位置するシートと、前記着衣対向面側に位置する裏面シートとを含み、
前記肌対向面側に位置するシートと前記裏面シートとは、前記ウイング部の周縁部に沿って断続的に形成された圧搾部において接合してある請求項１−３のいずれかに記載の吸収性物品。
【請求項５】
前記本体部は、前記縦方向に互いに対向する両端部を有し、
前記本体部は、前記連結部から前記両端部の間に、前記連結部の前記横方向の寸法に対して、前記横方向の寸法が大きい幅広部を有している請求項１−４のいずれかに記載の吸収性物品。
【請求項６】
前記ウイング部は、前記両端部のいずれか一方へ、その他方から見ると偏倚するように配置してあり、
前記両端部のうち前記ウイング部に近い一方の端部側の前記括れ部の前記縦方向の寸法が、前記両端部のうち前記ウイング部に遠い一方の端部側の前記括れ部の前記縦方向の寸法よりも大きい請求項５に記載の吸収性物品。
【請求項７】
前記ウイング部は、前記両端部のいずれか一方へ、その他方から見ると偏倚するように配置してあり、
前記両端部のうち前記ウイング部に近い一方の端部側の前記括れ部の前記横方向の寸法が、前記両端部のうち前記ウイング部に遠い一方の端部側の前記括れ部の前記横方向の寸法よりも大きい請求項５に記載の吸収性物品。
【請求項８】
前記ウイング部は、前記縦方向の外側へ向けて前記横方向における寸法が徐々に狭くなる凸端部を、前記括れ部に隣接する前記縦方向の両端部に有し、
前記凸端部は、前記拡幅部に含まれる請求項１−７のいずれかに記載の吸収性物品。
【請求項９】
前記物品の前記本体部は、前記肌対向面側に位置する表面シート層と、前記着衣対向面側に位置する裏面シート層と、前記表裏面シート層の間に介在する体液吸収性の吸収体とを含み、
前記表面シート層と前記裏面シート層と前記吸収体とのそれぞれが前記縦方向への伸長性を有し、
前記裏面シート層には、前記横方向へ延びる複数のプリーツが前記縦方向に互いに隣接することによってプリーツ群域を形成されている非伸長性の第１シートと、前記第１シートと前記吸収体との間にあって前記吸収体を横断するとともに前記プリーツ群域を縦断した状態で前記第１シートに接合している弾性的に伸長可能な第２シートとによって弾性域が形成され、
前記吸収体は、前記横方向へ延びる複数のスリットを有し、前記物品に対して互いに反対向きの前記縦方向への引っ張り力が加えられたときには前記スリットが拡開することによって前記縦方向への伸長性を発現し、
前記スリットの少なくとも一つと前記弾性域とが重なり合った状態で配置され、
前記括れ部は前記弾性域に含まれる請求項１−８のいずれかに記載の吸収性物品。
【請求項１０】
前記凸端部は、前記プリーツ群域に含まれる請求項９に記載の吸収性物品。
【請求項１１】
前記ウイング部は、前記両端部のいずれか一方へ、その他方から見ると偏倚するように配置してあり、
前記両端部のうち前記ウイング部に近い一方の端部側の前記括れ部の内端縁を結び、前記横方向へ延びる第１仮想直線に対して、前記ウイング部は、少なくとも前記一方の端部に近い側に前記弾性域を含み、
前記両端部のうち前記ウイング部に遠い他方の端部側の前記括れ部の内端縁を結び、前記横方向へ延びる第２仮想直線に対して、前記ウイング部は、少なくとも前記他方の端部に近い側に前記弾性域を含み、
前記弾性域の双方は、前記吸収性物品に力が加えられていない状態から前記縦方向へ伸長可能であり、
前記本体部は、前記横方向の寸法２５．０ｍｍあたりについて７００ｍＮの伸長力を縦方向に作用させたときの伸長率が少なくとも１．０３〜１．１０倍である請求項９に記載の吸収性物品。
【発明の詳細な説明】
【技術分野】
【０００１】
この発明は、生理用ナプキン、吸尿パッド、パンティライナ等として使用するのに好適な吸収性物品に関する。
【背景技術】
【０００２】
生理用パンツ等のパンツ型の着衣（いわゆるショーツ）の股下域の内面に止着して使用するパッド状の吸収性物品は公知である。このような物品であって、体液吸収性の本体部と、前記本体部における横方向に互いに対向する両側部それぞれから前記横方向の外側へ延出する一対のウイング部とを含む吸収性物品も公知である。
【０００３】
例えば、特許文献１に開示されている吸収性物品（ナプキン）のウイング部は、遠位部（先端部）から近位部（基端部または付根部）へ向けて縦方向における寸法が徐々に大きくなるように形成してある。また、前記本体部および前記ウイング部のショーツ対向面には、ショーツに対する止着域がそれぞれ設けられている。
【０００４】
このような吸収性物品によれば、前記本体部の前記ショーツ対向面には、ショーツに対する止着域が設けられ、かつ前記ウイング部の前記ショーツ対向面には、ショーツに対する止着域が設けられているため、吸収性物品とショーツとの止着面積を広くすることができる。これにより、ショーツに対して吸収性物品が移動するのを抑えることができる。
【先行技術文献】
【特許文献】
【０００５】
【特許文献１】特開２０１４−８１７９号公報
【発明の概要】
【発明が解決しようとする課題】
【０００６】
上記特許文献に開示されている吸収性物品のウイング部は、その遠位部から近位部へ向けて縦方向における寸法が次第に大きくなるほぼ台形状に形成されており、本体部とウイング部との連結部の縦方向における寸法が、ウイング部の他の部分の縦方向における寸法よりも大きい。こうした形態のウイング部を有するナプキンにおいては、着用者の動作、例えば歩行動作によってショーツ及び／又はナプキンに対して何らかの外力、例えば伸縮性を有するショーツにその前後方向（ナプキンの縦方向に相当）への伸縮力が作用すると、その外力が、本体部及び／又はウイング部に作用し、その一方から他方へ直接的に伝達される。その結果、ウイング部又はその近傍の本体部に「たくれ」や、本体部の位置ずれや皺が妄りに発生したりすることがある。したがって、着用者の大腿付根部又はその近傍に不快感を与えるばかりでなく、ナプキンの吸収性能の低下や体液漏れを惹起する原因ともなるという問題があった。
【０００７】
本発明が課題とするところは、上記問題等を極めて簡単な手段によって解決することができる吸収性物品の提供にある。
【課題を解決するための手段】
【０００８】
上記課題を達成するための本発明は、互いに直交する縦方向および横方向と、肌対向面およびその反対面である着衣対向面とを有し、体液吸収性の本体部と、前記本体部における前記横方向に互いに対向する両側部それぞれから前記横方向の外側へ延出する一対のウイング部とを含み、前記本体部および前記ウイング部の前記着衣対向面には、前記着衣に対する止着域がそれぞれ設けられているパッド状の吸収性物品の改良にある。
【０００９】
本発明においては、前記物品は、前記本体部と前記ウイング部との連結部に、前記縦方向に対向する一対の括れ部を有し、前記ウイング部は、前記縦方向における寸法が、他の部分の前記縦方向における寸法よりも大きい拡幅部を有し、前記ウイング部における前記横方向の寸法をＷ１としたとき、前記拡幅部は、前記寸法Ｗ１の半分よりも前記本体部に近くなるように配置してあることを特徴とする。
【発明の効果】
【００１０】
本発明の一つ以上の実施形態に係る吸収性物品によれば、下記の作用・効果を奏する。（１）パッド状の吸収性物品の本体部とウイング部との連結部に括れ部を有するため、括れ部を有しない場合に比べて、本体部及びウイング部の物品の前後方向（縦方向）への相対的な動き、特に本体部に対するウイング部の該方向への動きが自由になる。換言すると、本体部とウイング部との間に作用してその一方から他方へ伝達される外力が括れ部において弱くなる。よって、前記外力によってウイング部及びその近傍の本体部で派生しうる「たくれ」を未然に防止することができる。したがって、ウイング部又はその近傍の本体部に「たくれ」や、本体部の位置ずれや皺が妄りに発生することが少ない。このため、着用者の大腿付根部又はその近傍に不快感を与えないばかりでなく、ナプキンの吸収性能や体液漏れを惹起するおそれもない。（２）拡幅部は、ウイング部の止着域を着衣から剥がすときの摘みとしても機能するため、止着域を着衣から剥がすのが容易となる。（３）ショーツ（着衣）に物品を止着するとき、括れ部は、ウイング部を本体部に対してショーツの股部の両側縁に沿って折り曲げるときの案内部としても機能し、その折り曲げ、止着動作が容易になる。（４）ウイング部における横方向の寸法をＷ１としたとき、拡幅部は、寸法Ｗ１の半分よりも本体部に近くなるように配置してあるため、吸収性物品をショーツに止着したとき、着衣の非肌対向面側における着衣の両側部に拡幅部が位置し、これにより拡幅部によって吸収性物品が着衣にしっかり固定されているという安心感を着用者に与えることができる。
【図面の簡単な説明】
【００１１】
以下の図面は、本発明の特定の実施の形態を示すばかりでなく、発明の不可欠な構成、選択的に実施可能な構成及び好ましい実施の形態を含んでいる。
【図１】本発明の第１実施形態に係る吸収性物品の一例である生理用ナプキンの肌対向面を示す部分破断平面図。
【図２】図１のナプキンの着衣対向面を示す部分破断底面図。
【図３】図１のナプキンを着衣に止着したときを示す斜視図。
【図４】図１のナプキンの着衣対向面を示す部分拡大図。
【図５】第２実施形態に係るナプキンにおける図４と同様な図。
【図６】第３実施形態に係るナプキンにおける図４と同様な図。
【図７】第４実施形態に係るナプキンにおける図１と同様な図。
【図８】図７のナプキンにおける図２と同様な図。
【図９】図７のナプキンが有する吸収体の平面図。
【図１０】図７のＸ−Ｘ線切断面を示す図。
【図１１】ナプキンが伸長状態にあるときの図１０と同様な図。
【図１２】第５実施形態に係るナプキンにおける図４と同様な図。
【発明を実施するための形態】
【００１２】
下記の実施形態は、図１〜１２に示す吸収性物品に関し、発明の不可欠な構成ばかりではなく、選択的及び好ましい構成を含む。
【００１３】
＜第１実施形態＞
図１を参照すると、この発明に係る吸収性物品である生理用のナプキン１０は、互いに直交する縦方向Ａおよび横方向Ｂと、横方向Ｂにおける寸法を二等分して縦方向Ａへ延びる中央線Ｐと、着用者の肌に対向する肌対向面と、着用者の着衣に対する着衣対向面とを有し、肌対向面側に位置する表面シート１１と、着衣対向面側に位置する裏面シート１２と、これら表裏面シート１１，１２の間に介在する体液吸収性の吸収体１３とを含む。
【００１４】
ナプキン１０は、吸収体１３が位置する本体部１５と、ウイング部２０とを含む。本体部１５は、横方向Ｂに互いに対向する両側部１６と、縦方向Ａに互いに対向する両端部１７ａ，１７ｂとを有する。本体部１５は、縦方向Ａの中央に、縦方向Ａへ延びて平行なほぼ直線状の両側縁部１８を有する。ウイング部２０は、本体部１５における両側部１６それぞれから横方向Ｂの外側へ延出している。本体部１５とウイング部２０との間には、連結部１９が位置している。
【００１５】
表面シート１１および裏面シート１２の縦方向Ａおよび横方向Ｂの本体部１５における寸法は吸収体１３よりも大きく、両端部１７ａ，１７ｂには、互いに重なり合う表面シート１１と裏面シート１２とを接合する圧搾部２１が連続的に位置している。また、両側部１６およびウイング部２０の周縁部２２には、後述する防漏シート３０と裏面シート１２とを接合する複数の圧搾部２３が断続的に位置している。両側部１６およびウイング部２０の周縁部２２において、防漏シート３０と裏面シート１２とはまた、隣り合う圧搾部２３どうしの間の部位２４が例えばホットメルトタイプの接着剤２５を介して互いに接合している。
【００１６】
本体部１５は、縦方向Ａにおける連結部１９と両端部１７ａ，１７ｂとの間において、連結部１９又はその近傍部間の横方向Ｂの寸法Ｗ２に対して、横方向Ｂの寸法Ｗ３，Ｗ４が大きい幅広部２６，２７を有している。このような形態により、着用者は、幅広部２６，２７によって多量の体液を吸収することができるイメージを抱くことができるため、ナプキン１０を着用したときに体液が漏れることがない安心感を覚える。連結部１９の横方向Ｂの寸法Ｗ２は、ほぼ直線状の両側縁部１８間の横方向Ｂの寸法を指し、連結部１９よりも前方側における幅広部２６間の横方向Ｂの寸法Ｗ３は、前方側における横方向Ｂの両側部１６間の最大寸法を指し、連結部１９よりも後方側における幅広部２７間の横方向の寸法Ｗ４は、後方側における横方向Ｂの両側部１６間の最大寸法を指す。
【００１７】
表面シート１１は、少なくとも吸収体１３を被覆している部分が透液性を有する。表面シート１１は、熱可塑性合成樹脂を含む材料から形成され、その材料として、例えば、エアースルー繊維不織布、ポイントボンド不織布、スパンボンド不織布等の繊維不織布を好適に用いることができる。
【００１８】
図２を参照すると、裏面シート１２は、不透液性、より好ましくは透湿不透液性の、熱可塑性合成樹脂を含む材料から形成され、その材料として、例えば、透湿性プラスチックフィルム、または透湿性プラスチックフィルムと繊維不織布の積層体を好適に用いることができる。
【００１９】
吸収体１３は、例えば親水性繊維及び／又は吸水性繊維の集合体の圧縮成形体、水不溶性で自質量の少なくとも１０倍以上の吸水性能を有する高吸水性ポリマー粒子と親水性繊維及び／又は吸収性繊維との混合物の圧縮成形体、それら圧縮成形体のティッシュペーパや透液性の繊維不織布による被覆体であって、それら圧縮成形体は、水溶性バインダー等のバインダーを含むことがある。親水性繊維及び／又は吸水性繊維には、レイヨン繊維やアセテート繊維のステープル（木材パルプ、合成パルプ）等を挙げることができる。
【００２０】
ウイング部２０は、両端部１７ａ，１７ｂの一方へ偏倚するように配置してある。より具体的には、ナプキン１０の着用時に、着用者の前方側に位置する前方側の端部（一方の端部）１７ａへ、着用者の後方側に位置する後方側の端部（他方の端部）１７ｂから見て偏倚するように配置してある。
【００２１】
ウイング部２０は、例えば、撥水性または不透液性の防漏シート（肌対向面側に位置するシート）３０と裏面シート１２とを例えばホットメルト接着剤を介して互いに接合することによって形成してある。防漏シート３０は、裏面シート１２の肌対向面側に例えばホットメルト接着剤（不図示）を介して接合している部位３０ａを有する。ただし、部位３０ａは、縦方向Ａへ延びる内側縁部３０ｂの両端部１７ａ，１７ｂを除いて、表面シート１１および裏面シート１２に対して非接合状態にあって、その内側縁部３０ｂと表面シート１１との間に隙間が形成されるので、その隙間に体液が受止されて、体液の横漏れや滲み出しを未然に防ぐことができる。
【００２２】
本体部１５およびウイング部２０の着衣対向面（ショーツ対向面）には、例えば、感圧性粘着材によって、ショーツに対して止着可能であって、止着後に剥離可能な止着域３１，３２がそれぞれ設けられている。ナプキン１０の製造後、着用されるまでの間、止着域３１，３２は、不図示のセパレータによって被覆保護されている。本体部１５の縦方向Ａに設けられる複数の止着域３１は、縦方向Ａへ互いに離隔している。
【００２３】
本体部１５の止着域３１は、図３に示すように、着用者の着衣（ショーツ）３３の肌対向面３３ａに止着される一方、ウイング部２０の止着域３２は、ショーツ３３の非肌対向面３３ｂに止着される。このため、着用者が歩行等の動作により、ショーツ３３及び／又はナプキン１０に対して何らかの外力、例えば引っ張り、よれ／ねじれなどが作用すると、その外力が本体部１５及びウイング部２０に作用したり、その一方から他方へ直接的に伝達されたりすることがある。
【００２４】
このナプキン１０によれば、図１および図２に示すように、本体部１５とウイング部２０との間の連結部１９には、縦方向Ａに対向する一対の括れ部３４ａ，３４ｂを設けてある。この括れ部３４ａ，３４ｂによって、本体部１５及びウイング部２０の前後方向（縦方向Ａ）への相対的な動き、特に本体部１５に対するウイング部２０の該方向への動きが自由になる。換言すると、本体部１５とウイング部２０との間に作用してその一方から他方へ伝達される外力が括れ部３４ａ，３４ｂにおいて弱くなる。したがって、前記外力によってウイング部２０およびその近傍の本体部１５で派生しうる「たくれ」を未然に防ぐことができる。よって、ウイング部２０又はその近傍の本体部１５に「たくれ」や、本体部１５の位置ずれや皺が妄りに発生することが少ない。このため、着用者の大腿付根部又はその近傍に不快感を与えないばかりでなく、ナプキン１０の吸収性能や体液漏れを惹起するおそれもない。加えて、ショーツ３３にナプキン１０を止着するとき、括れ部３４ａ，３４ｂは、ウイング部２０を本体部１５に対してショーツ３３の股部の両側縁に沿って折り曲げるときの案内部としても機能し、その折り曲げ、止着動作が容易になる。
【００２５】
括れ部３４ａ，３４ｂは、図４に示すように、内側端縁４５ａと縦方向Ａに対向する外側開口４５ｂを有し、縦方向Ａにおいて、内側端縁４５ａへ向けて互いの横方向Ｂにおける間隔が次第に小さくなる形状を有し、内側端縁４５ａから外側開口４５ｂへ向かって次第に拡開している。ただし、括れ部３４ａ，３４ｂは、ほぼＵ字形又はほぼＶ字形であってもよい。
【００２６】
ウイング部２０は、連結部１９に隣接し、中央線Ｐに対して横方向Ｂの内側に位置する近位部（基端部／付根部）３６と、中央線Ｐに対して横方向Ｂの外側に位置する遠位部（先端部）３７とを有し、遠位部３７に止着域３２が設けられている。また、ウイング部２０は、図１に示すように、ウイング部２０の縦方向Ａにおける寸法Ｌ１が最も大きい拡幅部３９（ウイング部２０の縦方向Ａにおける寸法Ｌ１が、他の部分４０の縦方向Ａにおける寸法よりも大きい拡幅部３９）を近位部３６に隣接しているため、この拡幅部３９は、ウイング部２０の止着域３２を着衣３３から剥がすときの摘みとして機能し、止着域３２をショーツ３３から剥がすのを容易にすることができる。
【００２７】
図４を参照すると、ウイング部２０の横方向Ｂの寸法Ｗ１とは、縦方向Ａに対向する括れ部３４ａ，３４ｂをつなぎ、縦方向Ｂへ延びる仮想直線４１ａを基準とし、その仮想直線４１ａから最も遠い部位４１ｂまでの寸法を指す。ウイング部２０の横方向Ｂの寸法Ｗ１に対し、ウイング部２０の止着域３２は、その寸法Ｗ１の半分（Ｗ１／２）よりも遠位部３７側に配置してある。また、拡幅部３９は、寸法Ｗ１の半分（Ｗ１／２）よりも本体部１５に近くなるように配置してあるため、ナプキン１０をショーツ３３に止着したとき、ショーツ３３の非肌対向面３３ｂ側におけるショーツ３３の両側部に拡幅部３９が位置し（図３参照）、これにより拡幅部３９によってナプキン１０がショーツ３３にしっかり固定されているという安心感を着用者に与えることができる。さらに、このように拡幅部３９および止着域３２を配置し、ウイング部２０の止着域３２と拡幅部３９とを離してあるため、拡幅部３９を摘みとして使用するのに好適である。
【００２８】
また、ウイング部２０の止着域３２の縦方向Ａにおける両端縁４２，４３は、一方の括れ部３４ａの内側端縁４５ａ、および他方の括れ部３４ｂの内側端縁４５ａより縦方向Ａの外側に延在することがなく、止着域３２の端縁４２と、括れ部３４ａの内側端縁４５ａとは、縦方向Ａにおける寸法Ｌ２だけ離れた位置に配置してあり、止着域３２の端縁４３と、括れ部３４ｂの内側端縁４５ａとは、縦方向Ａにおける寸法Ｌ３だけ離れた位置に配置してある。この形態により、ショーツ３３にナプキン１０を止着している最中に、止着域３２の両端縁４２，４３が、ショーツ３３から剥がれるのを抑えることができる。
【００２９】
さらに、ウイング部２０は、縦方向Ａの外側へ向けて、徐々に横方向Ｂにおける幅が狭くなる凸端部４８を、縦方向Ａの両端部４９に有しているため、ウイング部２０の止着域３２を着衣３３から剥がすときの摘みとして凸端部４８を使えば、止着域３２を着衣３３から剥がすのが一層容易となる。しかも、凸端部４８を、括れ部３４ａ，３４ｂに隣接して配置し、凸端部４８は、ウイング部２０における縦方向Ａの寸法Ｌ１が大きい拡幅部３９に含まれるため、括れ部３４ａ，３４ｂに隣接する拡幅部３９および凸端部４８を有効利用することができる。
【００３０】
なお、上述した実施形態では、肌対向面側に位置するシートを、表面シート１１と防漏シート３０との別体のシートで形成する例で説明した。しかし、この発明はそれに限られず、肌対向面側に位置するシートを、一体のシートとしてもよい。これは、後述する他の実施形態においても同様である。
【００３１】
また、上述した実施形態では、本体部１５およびウイング部２０のショーツ対向面側に位置するシートを、一体の裏面シート１２によって形成する例で説明した。しかし、この発明はそれに限られず、別体のシートでショーツ対向面側に位置するシートを形成してもよい。これは、後述する他の実施形態においても同様である。
【００３２】
＜第２実施形態＞
図５を参照すると、このナプキン１０は、図１に示したナプキン１０と同様に、ナプキン１０の着用時に、着用者の前方側に位置する一方の端部１７ａへ、（着用者の後方側に位置する）他方の端部１７ｂから見てウイング部２０が偏倚するように配置してある。
【００３３】
両端部１７ａ，１７ｂのうちウイング部２０に近い一方の端部１７ａ側の括れ部３４ａの縦方向Ａの寸法（縦方向Ａにおける凸端部４８から括れ部３４ａの内側端縁４５ａまでの寸法）Ｌ４が、両端部１７ａ，１７ｂのうちウイング部２０に遠い他方の端部１７ｂ側の括れ部３４ｂの縦方向Ａの寸法（縦方向Ａにおける凸端部４８から括れ部３４ｂの内側端縁４５ａまでの寸法）Ｌ５よりも大きい。
【００３４】
このナプキン１０によれば、上記構成により、ウイング部２０の着用者の前方側の部位５０は、本体部１５に対して、一層自由に移動することができる。よって、ウイング部２０の着用者の前方側の部位５０にめくれが発生することを抑えることができる。
【００３５】
なお、上述した第２実施形態とは異なり、ナプキン着用時に、着用者の後方側に位置する一方の端部へ、着用者の前方側に位置する他方の端部から見てウイング部が偏倚するように配置し、両端部のうちウイング部に近い一方の端部側の括れ部の縦方向の寸法が、両端部のうちウイング部に遠い一方の端部側の括れ部の縦方向の寸法よりも大きくてもよい。
【００３６】
＜第３実施形態＞
図６を参照すると、このナプキン１０は、図１に示したナプキン１０と同様に、ナプキン１０の着用時に、着用者の前方側に位置する一方の端部１７ａへ、（着用者の後方側に位置する）他方の端部１７ｂから見てウイング部２０が偏倚するように配置してある。
【００３７】
両端部１７ａ，１７ｂのうちウイング部２０に近い一方の端部１７ａ側の括れ部３４ａの横方向Ｂの寸法（横方向Ｂにおける凸端部４８から側部１６までの寸法）Ｗ６が、両端部１７ａ，１７ｂのうちウイング部２０に遠い他方の端部１７ｂ側の括れ部３４ｂの横方向Ｂの寸法（横方向Ｂにおける凸端部４８から側部１６までの寸法）Ｗ７よりも大きい。
【００３８】
このナプキン１０によれば、上記構成により、ウイング部２０の着用者の前方側の部位５０は、本体部１５に対してより自由に移動することができる。よって、ウイング部２０の着用者の前方側の部位５０にめくれが発生することを抑えることができる。
【００３９】
なお、上述した第３実施形態とは異なり、ナプキン着用時に、着用者の後方側に位置する一方の端部へ、着用者の前方側に位置する他方の端部から見てウイング部が偏倚するように配置し、両端部のうちウイング部に近い一方の端部側の括れ部の横方向の寸法が、両端部のうちウイング部に遠い一方の端部側の括れ部の横方向の寸法よりも大きくてもよい。
【００４０】
＜第４実施形態＞
図７を参照すると、この実施形態に係るナプキン１０の表面シート５１は、縦方向Ａへの伸長性、より好ましくは弾性的伸長性を有する透液性の繊維不織布や多孔性プラスチックフィルムから形成されている。繊維不織布で形成される場合のそのような表面シート５１は、例えば、構成繊維の配向割合が横方向Ｂにおいて比較的高いスパンボンド不織布から形成することができる。こうした表面シート５１は、材料である不織布製造時に、その構成繊維の配向割合が機械方向に比較的高い。その不織布をナプキンの構成部材のアッセンブリ時に横方向Ｂへ配置すると、その構成繊維の配向割合が横方向Ｂへ比較的高い状態になる。その他の表面シート５１の材料例としては、捲縮熱可塑性合成繊維を含む不織布やポリウレタン繊維等の弾性繊維を含む不織布を使用することができる。この場合でも、ナプキンにおいて構成繊維の配向割合が横方向Ｂへ比較的高いように配置することが好ましい。また、表面シート５１は、吸収体５３を横方向Ｂへ横断していて弾性的伸長性を発現するための第１域５１ａと、縦方向Ａにおける弾性的伸長性が第１域５１ａよりも低い第２域５１ｂとを有し、縦方向において第１域５１ａと第２域５１ｂとを交互に配置してある。
【００４１】
ウイング部２０では、縦方向Ａにおける両端部４９に、第１域５１ａをそれぞれ配置してある一方、縦方向Ａにおける中央部６７に第２域５１ｂを配置してある。
【００４２】
この発明において、表面シート５１および裏面シート層５２等のシート層等（シートまたはシート層を含む）が伸長性であるというときには、そのシート層等から得た縦方向Ａにおける寸法が５０ｍｍであり、横方向Ｂにおける寸法が２５ｍｍである試験片について、縦方向の両端部１７ａ，１７ｂを１０ｍｍずつ把持するように引張試験機にセットし、縦方向Ａの長さ３０ｍｍを１００ｍｍ／ｍｉｎの速度で引っ張り、横方向Ｂの寸法２５ｍｍ当たりについて３０ｍＮの伸長力が縦方向Ａに作用したときの伸長率が少なくとも１．０３〜１．１０倍であること（シート層等に力が加えられていない状態の縦方向Ａにおける長さ寸法を１．００としたとき、シート層等に力を加えたときの縦方向Ａにおける長さ寸法が少なくとも１．０３〜１．１０倍であること）を意味している。もちろん、シート等の伸長性は、１．１０倍以上であってもよい。また、本発明においてナプキン１０が伸長性であるというときには、生理用ナプキン１０の両端部１７ａ，１７ｂを引張試験機のチャックによって１０〜２０ｍｍの幅だけ把持して幅２５ｍｍ当たりについて７００ｍＮの引張力を作用させたとき、生理用ナプキン１０がチャックとチャックとの間において損傷することなく少なくとも１．０３〜１．１０倍に伸長することを意味している。これは、例えば表面シートが弾性的な伸長性を有しておらず、裏面シート層５２が弾性的な伸長性を有しているときでも上記数値範囲となるが、仮に、表面シートが弾性的な伸長性を有するとともに、裏面シート層５２が弾性的な伸長性を有するときには、ナプキン１０の伸長率は、１．１０倍以上となってもよい。伸長率は、防漏シート３０を取り除いて測定する。生理用ナプキン１０は、１００ｍｍ／ｍｉｎの速度で伸長させることが好ましい。また、シート等が弾性的伸長性を有するというときには、伸長力を作用させてそのシートを２．００倍の長さにまで縦方向Ａへ伸長し、その後、直ちに伸長力を解くと、長さが伸長前の長さの１．５０倍以下にまで戻る性質のものであることを意味している。長さが１．５０倍以下にまで戻らないシートは、非弾性的伸長性を有するものである。このようなナプキン１０に対して互いに反対向きの縦方向Ａへ引っ張り力を効かす、とは、ナプキン１０の一方の端部１７ａ，１７ｂと、他方の端部１７ａ，１７ｂとをそれぞれ掴んで、縦方向Ａにおいて、それらが互いに離れる方向へ引っ張ることのほかに、いずれか一方の端部１７ａ，１７ｂを固定し、他方の端部１７ａ，１７ｂを離れるように引っ張ることをいう。
【００４３】
図８を参照すると、裏面シート層５２は、不透液性、より好ましくは透湿不透液性であって、着衣対向面側に位置して非伸長性の第１シート５４と、吸収体５３を横方向Ｂへ横断して、縦方向Ａへ弾性的に伸長、収縮可能な比較的細幅の複数の第２シート５５とを含んでいる。この第２シート５５は、縦方向Ａに所定間隔で配置されている。なお、図示省略するが、裏面シート層は、弾性的な伸長性を有する１枚の繊維不織布を使用してもよいし、３枚以上のシートを積層してもよい。
【００４４】
不透液性である場合の第１シート５４は、例えば、ポリエチレン樹脂フィルム等の透湿性プラスチックフィルムから形成される。透湿不透液性である場合の第１シート５４は、例えば充填剤として炭酸カルシウム、硫酸バリウム等の無機物の微粒子を含む延伸ポリエチレン樹脂フィルム等のプラスチックフィルムで形成される。第１シート５４には、吸収体５３を横断して一方の側部１６からもう一方の側部１６にまで延びる複数のプリーツ５７が形成されている。複数のプリーツ５７は、縦方向Ａに隣接してプリーツ群域５８を画定している。縦方向Ａへ離れて並ぶプリーツ群域５８の間に、プリーツ５７の存在しない非プリーツ群域５９が画定されている。このような裏面シート層５２には、プリーツ群域５８を画定している非伸長性の第１シート５４と、弾性的に伸長可能な第２シート５５とによって、弾性的伸長性を発現する第１域（弾性域）６０が画定され、非プリーツ群域５９に、縦方向Ａへ弾性的伸長性が第１域６０よりも低い第２域６１が画定される。第１域６０および第２域６１は、縦方向Ａにおいて交互に配置してある。プリーツ５７の縦方向Ａにおける断面形状は、図１０に例示の如き起伏を有するものであるから、プリーツ５７が側部１６にあって着用者の肌を刺激することがないように、プリーツ５７は圧搾部２１，２３のみならず、圧搾部２３どうしの間においても押しつぶされた状態にあることが好ましい。
【００４５】
第２シート５５は、例えば、ポリウレタン樹脂フィルム等のゴム弾性を有するプラスチックフィルムで形成されていて、第１シート５４と吸収体５３との間に介在して、プリーツ群域５８と重なった状態にあり、より好ましくはプリーツ群域５８の全体を被覆するようにプリーツ群域５８と重なった状態にあり、弾性的に弛緩した状態で例えば縦方向および横方向Ｂの少なくとも一方に間隔を置いて塗布したホットメルト接着剤６３（図１０参照）を介して第１シート５４の非プリーツ群域５９に接合されている。
【００４６】
第２シート５５のそれぞれはまた、各プリーツ群域５８の間に位置する非プリーツ群域５９の全域を被覆することがないように、縦方向Ａに離隔している。それゆえ、非プリーツ群域５９のそれぞれは、第２シート５５を介することなく吸収体５３と向き合っている。非プリーツ群域５９の着衣対向面には例えば感圧性粘着材によって、着衣に対して剥離可能な止着域３１，３２が設けられている。ナプキン１０が製造後、着用されるまでの間、止着域３１，３２は、仮想線で示されたセパレータ６４（図１０参照）によって被覆保護されている。本体部１５に形成される複数の止着域３１は、縦方向Ａへ互いに離隔しており、これによって、縦方向Ａへの伸長性を阻害しないようにされている。
【００４７】
ウイング部２０では、縦方向Ａにおける両端部４９に、プリーツ群域５８および第１域６０を配置してある一方、縦方向Ａにおける中央部６７に非プリーツ群域５９および第２域６１を配置してある。このように形成される裏面シート層５２は、縦方向Ａにおいて、第１域６０の弾性的伸長性が高く、第２域６１の弾性的伸長性が低い。
【００４８】
表面シート５１及び裏面シート層５２は、第１域５１ａと第１域６０とが重なり、かつ第２域５１ｂと第２域６１とが重なりあった状態で、表面シート５１と裏面シート層５２とが配置され、接合されている。
【００４９】
図９を参照すると、吸収体５３は、各横方向Ｂの両側において縦方向Ａへ延びる両側縁６９と、縦方向Ａの両端にあって横方向Ｂへ延びる両端縁７０とを有する。吸収体５３は、横方向Ｂへ波状に延びる中央スリット７２および側縁スリット７３を複数有している。各中央スリット７２は、中央線Ｐを横切るように横方向Ｂの中央に配置してあり、吸収体５３を縦方向Ａへ部分的に分断している。吸収体５３は、中央スリット７２の横方向Ｂの双方で縦方向Ａへ連続し、中央スリット７２は、側縁６９まで届いていない。側縁スリット７３は、側縁６９から中央線Ｐへ向けて横方向Ｂへ延び、両側縁６９に配置してある。吸収体５３は、側縁スリット７３の中央線Ｐに近接する側で縦方向Ａへ連続し、側縁スリット７３は、中央線Ｐまで届いていない。これら中央スリット７２と側縁スリット７３とは、中央線Ｐに関して対称となるように形成されていることが好ましいものであって、吸収体５３を厚さ方向に貫通している。スリット７２，７３は、波状等の曲線が好ましいが、直線状であることを除外するものではない。しかしながら、スリット７２，７３を波状の曲線に形成すると、直線状のものと対比したとき、縦方向Ａにおいて、吸収体５３が非弾性的に伸長したときにおける着用者の違和感を小さくすることができる。このようなスリット７２，７３を有する吸収体５３は、スリット７２，７３が存在する部位では、縦方向Ａへの非弾性的な伸長性が高く、スリット７２，７３が存在しない部位ででは、縦方向Ａへの非弾性的な伸長性が低い。このナプキン１０では、すべての中央スリット７２と第１域６０とが重なりあった状態で吸収体５３と裏面シート層５２とが配置され、接合されているが、スリット７２，７３の少なくとも一つと第１域６０とが重なりあった状態で吸収体５３と裏面シート層５２とが配置され、接合されてもよい。また、ナプキン１０では、すべての中央スリット７２と第１域５１ａとが重なりあった状態で吸収体５３と表面シート５１とが配置され、接合されているが、スリット７２，７３のすくなくとも一つと第１域５１ａとが重なりあった状態で吸収体５３と表面シートとが配置され、接合されてもよい。
【００５０】
吸収体５３は、例えば、ホットメルト接着剤（図示せず）を介して表面シート５１および／または裏面シート層５２に接合していて、縦方向Ａへの引っ張り力が加えられていない状態では、中央スリット７２と側縁スリット７３とが閉じた状態にある。裏面シート層５２に接合する場合の吸収体５３は、第２シート５５が縦方向Ａへ伸長することを妨げることがないように、第１シート５４における非プリーツ群域５９に接合していることが好ましいが、第１シート５４におけるプリーツ群域５８に接合したり、第２シート５５の一部分に接合することもできる。
【００５１】
図１０を参照すると、縦方向Ａに互いに隣り合う第２シート５５は、非プリーツ群域５９を被覆することがないように互いに離隔しているので、非プリーツ群域５９は吸収体５３と直接的に向かい合っている。それゆえ、非プリーツ群域５９において、第１シート５４は第２シート５５によって邪魔されることなく、通気性としての機能を発揮し、吸収体５３に吸収された水分から生じる水蒸気をナプキン１０の着衣対向面の外へ逃がすことができる。
【００５２】
図１１を参照すると、これは、図７に示すナプキン１０の両端部１７ａ，１７ｂを摘持して、ナプキン１０を縦方向Ａへ引っ張ったときの状態を示すナプキン１０の部分拡大図である。ナプキン１０では、第１シート５４が縦方向Ａへ引っ張られることによってプリーツ５７のそれぞれが縦方向Ａにおいて拡開すると同時に、各第２シート５５が弾性的に伸長している。ナプキン１０の両端部１７ａ，１７ｂにおいて裏面シート層５２に接合している表面シート５１もまた、縦方向Ａへ伸長する。特に、裏面シート層５２のプリーツ群域５８において圧搾部２３が断続的に形成されていることは、プリーツ群域５８の伸長を容易にする。吸収体５３は、表面シート５１および／または裏面シート層５２に接合していることによって、中央スリット７２と側縁スリット７３とのうちの少なくとも中央スリット７２において縦方向Ａへ拡開する。その結果として、ナプキン１０は縦方向Ａへ伸長する。これらの伸長によって生じるナプキン１０としての伸長性は、第２シート５５の存在によって弾性的伸長性であって、ナプキン１０は、伸長力から解放されると、弾性的に収縮して、伸長される前の状態に近づく。それゆえ、このナプキン１０を生理用パンツ等の着衣３３の股下域に止着して着用すると、着用者の動きに伴って股下域がねじられたり、曲げられたりしたときに、ナプキン１０は弾性的に伸長したり、弾性的に収縮したりしながら股下域の動きに順応することができる。ナプキン１０はそのように容易に伸長するものであるので、止着域３１，３２が股下域から簡単に剥離するということがない。股下域においてはまた、ナプキン１０にたるみが生じたり、ナプキン１０だけにしわが生じたりすることがなく、着用者にとっては、ナプキン１０と着衣３３との一体感が強いものになる。
【００５３】
加えて、このナプキン１０によれば、吸収体５３のすべての中央スリット７２と、表面シート５１の第１域５１ａおよび裏面シート層５２の第１域６０とが重なり合った状態で配置され、接合されているため、吸収体５３の中央スリット７２の拡開とともに第１域５１ａ，６０が弾性的に伸長することができる。しかも、裏面シート層５２が、吸収体５３を横断するように横方向Ｂへ延びていて弾性的伸長性を発現するための第１域６０と、縦方向Ａにおける弾性的伸長性が第１域６０よりも低い第２域６１とを有するため、縦方向Ａにおいて、第１域６０での変形を大きくする一方、第２域６１での変形を小さくすることができ、ナプキン１０に対して互いに反対向きの縦方向Ａへの引っ張り力を効かせて縦方向Ａへ十分に伸長することができる。しかも、このナプキン１０では、吸収体５３のスリットが存在しない領域と、表面シート５１の第２域５１ｂおよび裏面シート層５２の第２域６１とが重なり合った状態で、表面シート５１と裏面シート層５２と吸収体５３とが配置され、接合されているため、第２域５１ｂ，６１での変形を一層小さくすることができ、上記効果（ナプキン１０に対して互いに反対向きの縦方向Ａへの引っ張り力を効かせて縦方向Ａへ十分に伸長すること）を確実にすることができる。
【００５４】
ナプキン１０はまた、吸収体５３に中央スリット７２が形成されていることによって、両端部１７ａ，１７ｂにおける中央線Ｐ上の部位を摘持して縦方向Ａへ引っ張ると容易に伸長するという特性を有している。したがって、市販の多数のナプキンのうちから本発明に係るナプキン１０を選択的に着用しようとする着用者は、手にしたナプキンの両端部１７ａ，１７ｂを縦方向Ａへ引っ張ることによって、ナプキン１０の特性の存在を知り、ナプキン１０を迷うことなく選択することができる。
【００５５】
また、ウイング部２０において、縦方向Ａの中央部６７の着衣対向面に止着域３２を形成し、中央部６７には、第２域５１ｂ，６１と吸収体５３のスリット７２，７３が存在しない部位とが対向するように、表面シート５１と裏面シート層５２と吸収体５３とを配置され、接合されている。よって、ウイング部２０における縦方向Ａへの伸長性が低い部位に止着域３２を形成してあるため、着衣３３から、ウイング部２０の止着域３２が剥がれるのを防止することができる。
【００５６】
ウイング部２０において、縦方向Ａの両端部４９には、表面シート５１の第１域５１ａと、裏面シート層５２の第１域６０とが対向するように、表面シート５１と裏面シート層５２とが配置され、接合されている。加えて、括れ部３４ａ，３４ｂは第１域５１ａ，６０に含まれるため、括れ部３４ａ，３４ｂの周縁で縦方向Ａへ伸長することができる。これにより、一層、本体部１５に対してウイング部２０が自由に移動することが可能となる。また、ウイング部２０の両端部４９に、縦方向Ａへの弾性的な伸長性が高い第１域５１ａ、６０を配置してあるため、両端部４９に皺が発生するのを抑えることができる。
【００５７】
さらに、凸端部４８は、プリーツ群域５８に含まれるため、プリーツ５７と着衣３３との間に空間が形成され、これにより、ナプキン１０を廃棄するとき、着衣３３からウイング部２０を剥がすのが容易になる。
【００５８】
加えて、第４施形態４のナプキン１０は、第１実施形態のナプキン１０と同形に形成してあり、第１実施形態のナプキン１０が奏する作用・効果と同一の作用・効果を奏する。
【００５９】
なお、防漏シート３０は、縦方向Ａへ弾性的な伸長性を有するシートで形成してもよいし、非弾性的なシートで形成してもよい。
【００６０】
また、上述した実施形態４には、１枚の繊維不織布で表面シート５１を形成する例を示したが、複数枚のシートを積層することで表面シート層を形成してもよい。
【００６１】
＜第５実施形態＞
第５実施形態のナプキン１０は、第４実施形態のナプキ１０に対し、第１域５１ａ，６０の配置のみが異なり、他の形状および構成等は、第４実施形態のナプキン１０と同じである。
【００６２】
図１２を参照すると、両端部１７ａ，１７ｂのうちウイング部２０に近い一方の端部（着用者の前方側に位置する一方の端部）１７ａ側の括れ部３４ａの内端縁４５を結び、横方向Ｂへ延びる第１仮想直線７４に対して、ウイング部２０は、少なくとも一方の端部１７ａに近い側に第１域５１ａ，６０を含む。両端部１７ａ，１７ｂのうちウイング部２０に遠い他方の端部（着用者の後方側に位置する他方の端部）１７ｂ側の括れ部３４ｂの内端縁４５を結ぶ第２仮想直線７５に対して、ウイング部２０は、少なくとも他方の端部１７ｂに近い側に第１域５１ａ，６０を含む。第１域５１ａ，６０における表面シート５１および裏面シート層５２のそれぞれは、ナプキン１０に力が加えられていない状態から縦方向Ａへ伸長可能である。第１域５１ａ，６０における表面シート５１及び裏面シート層５２のそれぞれは、横方向Ｂの寸法２０．０ｍｍあたりについて２５０ｍＮの伸長力を縦方向Ａに作用させたときの伸長率が少なくとも１．０３〜１．１０倍である。
【００６３】
上記構成により、このナプキン１０によれば、一層、本体部１５に対してウイング部２０が自由に移動することが可能となるとともに、ウイング部２０の両端部４９に皺が発生するのを確実に抑えることができる。
【００６４】
以上に記載した本発明に関する開示は、少なくとも下記事項に整理することができる。
本発明は、互いに直交する縦方向および横方向と、肌対向面およびその反対面である着衣対向面とを有し、体液吸収性の本体部と、前記本体部における前記横方向に互いに対向する両側部それぞれから前記横方向の外側へ延出する一対のウイング部とを含み、前記本体部および前記ウイング部の前記着衣対向面には、前記着衣に対する止着域がそれぞれ設けられているパッド状の吸収性物品であって、前記物品は、前記本体部と前記ウイング部との間の連結部に、前記縦方向に対向する一対の括れ部を有し、前記ウイング部は、前記縦方向における寸法が、他の部分の前記縦方向における寸法よりも大きい拡幅部を有し、前記ウイング部における前記横方向の寸法をＷ１としたとき、前記拡幅部は、前記寸法Ｗ１の半分よりも前記本体部に近くなるように配置してあることを特徴とする。
【００６５】
上記段落に開示した本発明は、少なくとも下記の実施の形態を含むことができる。該実施の形態は、分離して又は互いに組み合わせて採択することができる。
（１）前記括れ部は、前記縦方向に対向する内側縁と外側開口とを有し、前記内側縁から前記外側開口へ向かって次第に拡開している。
（２）前記ウイング部の前記止着域の前記縦方向における両端縁は、一方の前記括れ部の内端縁、および他方の前記括れ部の内端縁より前記縦方向の外側に延在することがない。
（３）前記ウイング部は、前記肌対向面側に位置するシートと、前記着衣対向面側に位置する裏面シートとを含み、前記肌対向面側に位置するシートと前記裏面シートとは、前記ウイング部の周縁部に沿って断続的に形成された圧搾部において接合してある。
（４）前記本体部は、前記縦方向に互いに対向する両端部を有し、前記本体部は、前記連結部から前記両端部の間に、前記連結部の前記横方向の寸法に対して、前記横方向の寸法が大きい幅広部を有している。
（５）前記ウイング部は、前記両端部のいずれか一方へ、その他方から見ると偏倚するように配置してあり、前記両端部のうち前記ウイング部に近い一方の端部側の前記括れ部の前記縦方向Ａの寸法が、前記両端部のうち前記ウイング部に遠い一方の端部側の前記括れ部の前記縦方向の寸法よりも大きい。
（６）前記ウイング部は、前記両端部のいずれか一方へ、その他方から見ると偏倚するように配置してあり、前記両端部のうち前記ウイング部に近い一方の端部側の前記括れ部の前記横方向の寸法が、前記両端部のうち前記ウイング部に遠い一方の端部側の前記括れ部の前記横方向の寸法よりも大きい。
（７）前記ウイング部は、前記縦方向の外側へ向けて前記横方向における寸法が徐々に狭くなる凸端部を、前記括れ部に隣接する前記縦方向の両端部に有し、前記凸端部は、前記拡幅部に含まれる。
（８）前記物品の前記本体部は、前記肌対向面側に位置する表面シート層と、前記着衣対向面側に位置する裏面シート層と、前記表裏面シート層の間に介在する体液吸収性の吸収体とを含み、前記表面シート層と前記裏面シート層と前記吸収体とのそれぞれが前記縦方向への伸長性を有し、前記裏面シート層には、前記横方向へ延びる複数のプリーツが前記縦方向に互いに隣接することによってプリーツ群域を形成されている非伸長性の第１シートと、前記第１シートと前記吸収体との間にあって前記吸収体を横断するとともに前記プリーツ群域を縦断した状態で前記第１シートに接合している弾性的に伸長可能な第２シートとによって弾性域が形成され、前記吸収体は、前記横方向へ延びる複数のスリットを有し、前記物品に対して互いに反対向きの前記縦方向への引っ張り力が加えられたときには前記スリットが拡開することによって前記縦方向への伸長性を発現し、前記スリットの少なくとも一つと前記弾性域とが重なり合った状態で配置され、前記括れ部は前記弾性域に含まれる。
（９）前記凸端部は、前記プリーツ群域に含まれる。
（１０）前記ウイング部は、前記両端部のいずれか一方へ、その他方から見ると偏倚するように配置してあり、前記両端部のうち前記ウイング部に近い一方の端部側の前記括れ部の内端縁を結び、前記横方向へ延びる第１仮想直線に対して、前記ウイング部は、少なくとも前記一方の端部に近い側に前記弾性域を含み、前記両端部のうち前記ウイング部に近い他方の端部側の前記括れ部の内端縁を結び、前記横方向へ延びる第２仮想直線に対して、前記ウイング部は、少なくとも前記他方の端部に近い側に前記弾性域を含み、前記縦方向における前記弾性域の双方は、前記吸収性物品に力が加えられていない状態から前記縦方向へ伸長可能であり、前記本体部は、前記横方向の寸法２５．０ｍｍあたりについて７００ｍＮの伸長力を縦方向に作用させたときの伸長率が少なくとも１．０３〜１．１０倍である。
【００６６】
本発明の明細書および特許請求の範囲において、用語「第１」および「第２」は、同称の要素、位置等を単に区別するために用いられている。
【符号の説明】
【００６７】
１０      吸収性物品（ナプキン）
１１      表面シート
１２      裏面シート
１５      本体部
１６      両側部
１７ａ    端部
１７ｂ    端部
１９      連結部
２０      ウイング部
２２      周縁部
２３      圧搾部
２６      幅広部
２７      幅広部
３１      止着域
３２      止着域
３４ａ    括れ部
３４ｂ    括れ部
３６      近位部
３９      拡幅部
４２      端縁
４３      端縁
４５ａ    内側端縁
４５ｂ    外側開口
４８      凸端部
４９      両端部
５１      表面シート
５２      裏面シート層
５３      吸収体
５４      第１シート
５５      第２シート
５７      プリーツ
５８      プリーツ群域
５９      非プリーツ群域
６０      第１域（弾性域）
６１      第２域
７２      中央スリット（スリット）
７３      側縁スリット（スリット）
７４      第１仮想直線
７５      第２仮想直線
Ａ        縦方向
Ｂ        横方向
Ｌ１      拡幅部の縦方向における寸法
Ｌ４      ウイング部に近い一方の端部側の括れ部の縦方向の寸法
Ｌ５      ウイング部に遠い一方の端部側の括れ部の縦方向の寸法
Ｗ１      ウイング部における横方向の寸法
Ｗ６      ウイング部に近い一方の端部側の括れ部の横方向の寸法
Ｗ７      ウイング部に遠い一方の端部側の括れ部の横方向の寸法
【図１】
2016013199.tif 000003
【図２】
2016013199.tif 000004
【図３】
2016013199.tif 000005
【図４】
2016013199.tif 000006
【図５】
2016013199.tif 000007
【図６】
2016013199.tif 000008
【図７】
2016013199.tif 000009
【図８】
2016013199.tif 000010
【図９】
2016013199.tif 000011
【図１０】
2016013199.tif 000012
【図１１】
2016013199.tif 000013
【図１２】
2016013199.tif 000014